(57)【特許請求の範囲】
【請求項１】
着用者の身体前側と身体後側とに延びる前後方向と、着用者の身体上側と身体下側とに延びる上下方向と、前記前後方向に直交し、かつ前記上下方向に直交する幅方向と、を有し、前胴回り領域、後胴回り領域、及び前記前胴回り領域と前記後胴回り領域との間に介在する股下領域を有するシャーシを備える吸収性物品であって、
前記シャーシは、前記前胴回り領域から前記股下領域を介して前記後胴回り領域に延びるシャーシ本体と、前記幅方向におけるシャーシ本体の両側端部とそれぞれ接合され、かつ前記前胴回り領域と胴回り領域との間に配置される一対の側部パネルと、を有しており、
前記シャーシ本体と前記側部パネルとによって、着用者の脚の周りに配置される脚周り開口部と、着用者の腰の周りに配置される腰周り開口部と、が形成されており、
前記シャーシ本体には、着用者の股下に配置される股下部を備えており、
着用者に装着された状態で、前記脚周り開口部が、前記股下部よりも下方において水平方向に沿って配置されており、
前記側部パネルの前記下側の端部である下端部の前記幅方向の長さは、前記側部パネルの前記上側の端部である上端部の前記幅方向の長さよりも長く、
前記側部パネルは、第１側部パネルと、前記第１側部パネルよりも着用者の肌当接面側に配置された第２側部パネルと、を備えており、
前記第２側部パネルの摩擦係数は、前記第１側部パネルの摩擦係数よりも低く構成されている、吸収性物品。
【請求項２】
前記側部パネルの前記幅方向の長さは、前記上端部から前記下端部に向かうに連れて長くなっている、請求項１に記載の吸収性物品。
【請求項３】
前記側部パネルは、非伸縮性である、請求項１又は請求項２に記載の吸収性物品。
【請求項４】
前記側部パネルは、伸縮性である、請求項１又は請求項２に記載の吸収性物品。
【発明の詳細な説明】
【技術分野】
【０００１】
本発明は、吸収性物品に関し、特に着用者の脚周りにフィットさせることができるパンツ型おむつに関する。
【背景技術】
【０００２】
従来から、前胴回り領域、後胴回り領域、及び股下領域を有し、着用者の脚周りに配置される脚周り開口部と、着用者の腰周りに配置される腰周り開口部とが形成されたパンツ型おむつが提供されている。このような、使い捨て着用物品において、腰周り開口部や脚周り開口部の寸法が小さ過ぎると、着用者の身体への締め付けがきつくなり、装着性が悪化するおそれがある。一方、腰周り開口部や脚周り開口部の寸法が大き過ぎると、着用者の身体に対する位置がずれてしまうおそれがある。よって、腰周り開口部や脚周り開口部のフィット性が求められている。
【０００３】
また、近年、着用者の脚周りに配置される脚周り開口部が着用者の股下部まで延びる、いわゆるボクサータイプのパンツ型おむつが知られている（例えば、特許文献１参照）。かかるパンツ型おむつは、着用者の脚の付け根の周囲を覆うように配置されるため、着用者の脚の動きに追従して脚周り開口部が移動し易くなり、フィット性を向上させることができる。
【先行技術文献】
【特許文献】
【０００４】
【特許文献１】特開２０１１−６２３２９号公報
【発明の概要】
【発明が解決しようとする課題】
【０００５】
しかしながら、出願人は、上述のパンツ型おむつについて、以下のような問題点を発見した。
【０００６】
一般的なブリーフタイプのパンツ型おむつの脚周り開口部は、股下部から着用者の側方に向かって上方に傾斜しており、脚の付け根に沿って配置される。一方、ボクサータイプのパンツ型おむつの脚周り開口部は、股下領域よりも下方において、水平方向に沿って配置されている。ボクサータイプのパンツ型おむつは、脚周り開口部が水平方向に沿って配置されているため、ブリーフタイプのパンツ型おむつと比較して、開口部が小さくなり易い。脚周り開口部の開口寸法が小さいと、着用者が装着する際に、着用者が脚を挿入し難くなったり、着用者の脚周りを締め付け過ぎたりして、装着感が悪化するおそれがある。
【０００７】
また、ボクサータイプやブリーフタイプのパンツ型おむつにおいて、脚周り開口部の締め付けを抑制するために、脚周り開口部の寸法を大きくすることが考えられる。しかし、脚周り開口部の寸法を大きくすると、パンツ型おむつの全体寸法が大きくなることがある。例えば、パンツ型おむつの腰周りの寸法が大きくなると、腰回りのフィット性が低下して、装着感が悪化するおそれがある。
【０００８】
そこで、本発明は、上述の課題に鑑みてなされたものであり、着用者の脚周り及び腰周りにフィットさせて、装着感の悪化を抑制することができる吸収性物品を提供することを目的とする。
【課題を解決するための手段】
【０００９】
本発明に係る吸収性物品（吸収性物品１）は、着用者の身体前側と身体後側とに延びる前後方向と、着用者の身体上側と身体下側とに延びる上下方向と、前記前後方向に直交する幅方向と、を有し、前胴回り領域(前胴回り領域Ｓ１０Ａ)、後胴回り領域（後胴回り領域Ｓ１０Ｂ）、及び前記前胴回り領域と前記後胴回り領域との間に介在する股下領域（股下領域Ｓ２０）を有するシャーシ（シャーシ３）を備える吸収性物品であって、前記シャーシは、前記前胴回り領域から前記股下領域を介して前記後胴回り領域に延びるシャーシ本体（シャーシ本体３１）と、前記幅方向におけるシャーシ本体の両側端部（前側端部３１Ａ、後側端部３１Ｂ）とそれぞれ接合され、かつ前記前胴回り領域と前記後胴回り領域との間に配置される一対の側部パネル（側部パネル４１）と、を有しており、前記シャーシ本体と前記側部パネルとによって、着用者の脚の周りに配置される脚周り開口部（脚周り開口部５）と、着用者の腰の周りに配置される腰周り開口部（腰周り開口部６）と、が形成されており、前記側部パネルの前記下側の端部である下端部（下端部４１Ｄ）の前記幅方向の長さは、前記側部パネルの前記上側の端部である上端部（上端部４１Ｃ）の前記幅方向の長さよりも長いことを要旨とする。
【発明の効果】
【００１０】
本発明によれば、脚回りに対応する側部パネルの下端部の幅方向の長さが、胴周りに対応する側部パネルの上端部の幅方向の長さよりも長いため、脚周り開口部の寸法を大きくして、着用者の脚周りを締め付け過ぎることを抑制できる。また、脚周り開口部の寸法のみを大きくすることができるため、吸収性物品全体の寸法を大きくすることによって腰回りの寸法が大きくなり過ぎることを抑制でき、腰回りのフィット性と脚周りのフィット性とを向上させることができる。
【図面の簡単な説明】
【００１１】
【図１】第１の実施形態に係る吸収性物品の外観斜視図である。
【図２】第１の実施形態に係る吸収性物品の側面図である。
【図３】図２のＡ−Ａ断面及びＢ−Ｂ断面を模式的に示した模式断面図である。
【図４】第２の実施形態に係る吸収性物品の外観斜視図である。
【図５】第２の実施形態に係る吸収性物品の側面図である。
【図６】変形例１に係る吸収性物品の模式図である。
【図７】変形例２に係る吸収性物品の模式図である。
【図８】変形例３に係る吸収性物品を構成する側部パネルの模式図である。
【発明を実施するための形態】
【００１２】
（第１の実施形態）
図１から図３を参照して、第１の実施形態に係る吸収性物品１について説明する。本実施形態に係る吸収性物品１は、パンツ型おむつである。図１に、本実施形態に係る吸収性物品１の外観斜視図を示す。図２に、図１に示す吸収性物品の側面図を示す。図３は、図２に示すＡ−Ａ断面及びＢ−Ｂ断面の断面図である。
【００１３】
図１に示すように、本実施形態に係る吸収性物品１は、シャーシ３及び吸収体本体２を有している。図１には、おむつ１の前後方向と幅方向と上下方向とが互いに直交する双頭矢印Ｘ，Ｙ，Ｚで示されている。おむつの前後方向Ｘ、幅方向Ｙ、及び上下方向Ｚは、着用者が吸収性物品を装着した状態における方向である。なお、幅方向は、左右方向に沿った方向である。
【００１４】
図１及び図２に示すように、シャーシ３は、着用者の前胴回りに対応する前胴回り領域Ｓ１０Ａと、後胴回りに対応する後胴回り領域Ｓ１０Ｂと、前胴回り領域Ｓ１０Ａと後胴回り領域Ｓ１０Ｂとの間に介在する股下領域Ｓ２０とを有するシャーシ本体３１と、シャーシ本体３１の幅方向Ｙにおける前側端部３１Ａ及び後側端部３１Ｂと接着され、かつ前胴回り領域Ｓ１０Ａと後胴回り領域Ｓ１０Ｂとの間に配置される側部パネル４１と、を有する。
【００１５】
吸収体本体２は、シャーシ３の吸収性物品１の肌当接面側に、股下領域Ｓ２０から前胴回り領域Ｓ１０Ａ及び後胴回り領域Ｓ１０Ｂに渡って設けられている。前胴回り領域Ｓ１０Ａ及び後胴回り領域Ｓ１０Ｂでは、吸収体本体２は、幅方向Ｙの中央領域に設けられている。また、吸収体本体２の長手方向の両側部には、図示しない防漏壁が設けられている。防漏壁を設けることにより、吸収体から幅方向外側への体液の漏れを防止できる。
【００１６】
シャーシ本体３１は、例えば、ポリプロピレン（ＰＰ）からなるＳＭＳ不織布によって構成されている。シャーシ本体３１の目付は、１１〜３０g/ｍ2が好ましい。より好ましくは、１５〜１７g/ｍ2がよい。また、２枚の不織布によって構成されるシャーシ本体３１においては、２枚の不織布の目付が３０〜３５g/ｍ2であることが好ましい。２枚の不織布によって構成されるシャーシ本体３１の内側の不織布は、例えば、ＳＭＳ不織布であり、外側の不織布は、スパンボンド不織布又はエアスルー不織布である。
【００１７】
シャーシ本体３１には、腰回り用弾性部材９１や胴回り用弾性部材９２や脚回り用弾性部材（図示せず）が伸張された状態で保持されている。したがって、シャーシ本体３１は、伸縮可能である。腰回り用弾性部材９１や胴回り用弾性部材９２には、天然ゴムや合成ゴムやスパンデックス等を使用でき、その伸張倍率は、１.３〜４.０倍が望ましい（スパンデックスの場合、その太さは、３００〜１３００ｄｔｅｘが望ましい）。
【００１８】
なお、股下領域Ｓ２０において、吸収体本体２とシャーシ本体３１とを接合してもよいし、シャーシ本体３１と吸収体本体２とを接合しないように構成してもよい。股下領域Ｓ２０において、シャーシ本体３１と吸収体本体２とを接合しないように構成することにより、シャーシ本体が下がった場合であっても、吸収体本体が追従して下がることを抑制できる。また、腰回り弾性部材９２を股下領域Ｓ２０にかけて配置することにより、更に股下領域Ｓ２０における位置ずれを防止できる。
【００１９】
吸収性物品１は、着用者の腰の側部に対応する側部パネル４１を有する。側部パネル４１は、前胴回り領域Ｓ１０Ａにおけるシャーシ本体３１の前側端部３１Ａと接合される前側端部４１Ａと、後胴回り領域Ｓ１０Ｂにおけるシャーシ本体３１の後側端部３１Ｂと接続される後側端部４１Ｂと、を有する。
【００２０】
側部パネル４１の前側端部４１Ａは、シャーシ本体３１の前胴回り領域Ｓ１０Ａの前側端部３１Ａよりも前方に配置されている。また、側部パネル４１の後側端部４１Ｂは、シャーシ本体３１の後胴回り領域Ｓ１０Ｂの後側端部３１Ｂよりも後方に配置されている。すなわち、側部パネル４１の両側端部とシャーシ本体３１の両側端部とは、重なって互いに接着されている。シャーシ本体３１と側部パネル４１との間は、ホットメルト型接着剤６０によって接着されている。
【００２１】
なお、シャーシ本体３１と側部パネル４１との接合は、音波シール、熱接着、圧力接着、その他接着剤又は凝集結合、縫合、自己結合などで接着してもよい。側部パネル４１は、シャーシ本体３１の肌当接面側、又は非肌当接面側に接合される。しかし、側部パネル４１は、シャーシ本体３１が複数層で構成されている場合には、シャーシ本体３１を構成する層と層の間において接合されていてもよい。
【００２２】
シャーシ本体３１と側部パネル４１とが接合されることにより、シャーシ本体３１における前胴回り領域Ｓ１０Ａの上端部及び後胴回り領域Ｓ１０Ｂの上端部と、側部パネル４１の上端部とによって囲まれる腰周り開口部６と、シャーシ本体３１における前胴回り領域Ｓ１０Ａの下端部及び後胴回り領域Ｓ１０Ｂの下端部と、側部パネル４１の下端部とによって囲まれる脚周り開口部５とが形成される。
【００２３】
腰周り開口部６は、着用者に装着された状態で、着用者の腰回りに配置される。脚周り開口部５は、着用者に装着された状態で、着用者の脚周りに配置される。
【００２４】
本実施の形態に係る側部パネル４１とシャーシ本体３１とが接合される接合領域は、側部パネル４１とシャーシ本体３１とが重なる領域に配置される。接合領域は、側部パネル４１とシャーシ本体３１とが重なる領域におけるシャーシ本体３１の側端部から３〜２０ｍｍ内側、かつ側部パネル４１の側端部から３〜２０ｍｍ内側であることが好ましい。また、接着領域の幅は、５ｍｍ以上、かつ３０ｍｍ以下であることが好ましい。
【００２５】
接合領域は、脚周り開口部５から２〜２０ｍｍ内側、かつ腰周り開口部６から２ｍｍ〜２０ｍｍ内側であることが好ましい。このように、側部パネル４１とシャーシ本体３１とが重なる領域よりも内側に接合領域を設けることにより、コーター塗工等によって接着剤が接合領域からはみ出した場合であっても、側部パネル４１とシャーシ本体３１とが重なる領域よりも外側に接着剤がはみ出すことを防止できる。
【００２６】
また、シャーシ本体３１の接合領域には、胴回り用弾性部材９２を設けないように構成することが好ましい。シャーシ本体３１の接合領域に胴回り用弾性部材９２が設けられていると、胴回り用弾性部材９２によってシャーシ本体３１が伸縮し、接合強度が低下するおそれがある。しかし、シャーシ本体３１の接合領域に胴回り用弾性部材９２を配置しないように構成することにより、側部パネル４１との接合強度を高くすることができる。
【００２７】
また、シャーシ本体３１の接合領域に胴回り用弾性部材９２を設ける場合において、胴回り用弾性部材９２を非伸縮状態で配置することにより、胴回り用弾性部材９２を設けない場合と同様の効果を得ることができる。
【００２８】
図３に示すように、側部パネル４１の下側の端部である下端部の幅方向の長さＬ１は、側部パネル４１の上側の端部である上端部の幅方向の長さＬ２よりも長い。側部パネル４１の幅方向の長さは、上側から下側に向かうに連れて長くなっている。図２に示す側面図において、側部パネル４１は、裾広がりの台形形状である。
【００２９】
なお、側部パネル４１は、側部パネル自体の幅が上端部よりも下端部において長くなるように構成されていてもよいし、側部パネル４１を挟んで配置されるシャーシ本体３１の幅が上端部よりも下端部において長くなるように構成されていてもよい。
【００３０】
脚回りに対応する側部パネル４１の下端部の幅方向の長さが、腰周りに対応する側部パネル４１の上端部の幅方向の長さよりも長いため、脚周り開口部を十分に確保して脚周りにおける締め付けを低減し、フィット性を向上させることができる。また、おむつ全体の寸法を大きくすることなく、脚周り開口部の寸法のみを大きくすることができる。したがって、腰周り開口が大きくなり過ぎることを抑制し、腰回りにおける位置ずれを防止できる。
【００３１】
更に、側部パネル４１は、下方に向かって徐々に開口寸法が大きくなり、側部パネル４１が裾広がりの形状であるため、着用時に着用者が脚をスムーズに挿入することができる。また、脚周り開口の寸法を大きくできるため、脚周りに隙間を設けて、脚周りの締め付けを防止できる。
【００３２】
側部パネル４１は、非伸縮性である。非伸縮性の側部パネルを有する吸収性物品１は、伸縮性の側部パネルを有する吸収性物品よりも、装着する前の寸法長くなる。よって、脚周り開口部を比較的大きく確保でき、着用者の脚が通し易くなる。なお、本実施の形態に係る側部パネル４１は、非伸縮性であるが、伸縮性であってもよい。例えば、側部パネル４１を伸縮性にすることにより、側部パネル４１を着用者の肌にフィットさせることができる。
【００３３】
側部パネル４１の生地単体での伸び止まりまでの伸長可能範囲を表す伸縮率は、２０〜２００％が好ましい。また側部パネルの伸縮方向は、側部パネルの成形工程におけるＭＤ方向（機械流れ方向）又はＣＤ方向（機械流れ方向に対して直交する方向）のいずれかであってもよく、また、ＭＤ方向及びＣＤ方向の両方向であってもよい。
【００３４】
ここで、側部パネルの伸縮率の測定方法について説明する。まず、対象となるシート（ここでは、側部パネル）をその伸縮方向に最大に伸長させた場合での長さをＹとし、その後伸長を開放して自然状態に放置し、自然に収縮した状態における対象となるシートの縮み長さをｙとして下記の式にあてはめる。
【数１】
0005841757.tif 000002
【００３５】
また、収縮した状態で、伸縮方向に一定間隔（例：１００ｍｍ）の記しを付け、対象となるシートをその伸縮方向に最大に伸長させた状態の印間の長さを測定し、上記式で伸縮率を求めてもよい。
【００３６】
側部パネル４１は、着用者の肌に触れるため、肌への刺激が少なく、着用者の違和感が少ない材質が望ましい。具体的には、例えば、スパンボンド不織布やＳＭＳ不織布を例示できる。また、スパンボンド不織布やＳＭＳ不織布以外の材質によって側部パネル４１を構成する場合には、表面にエンボス加工等、表面を滑らかにする処理を施すことにより、肌への違和感や刺激を和らげることができる。特に、本実施の形態に係る側部パネル４１は、上端部よりも下端部の幅を長く構成しており、上端部と下端部の幅が同じ側部パネル４１と比較して、肌に接する面積が大きく、側部パネル４１による肌への刺激が強くなり易い。したがって、側部パネル４１は、肌への刺激が少ない材質によって構成することが望ましい。
【００３７】
また、本実施の形態に係る側部パネル４１は、１枚の不織布によって構成されているが、複数のシート材を積層して構成してもよい。複数のシート材によって側部パネルを構成することにより、様々な機能を有する素材を複数組み合わせて、側部パネル全体の機能を安易に変化させることができる。具体的には、例えば、肌当接面側にＡＴを配置し、肌非当接面側にＳＭＳ不織布を設けることができる。肌への刺激を抑制しつつ、強度に優れた側部パネルとなる。
【００３８】
また、複数のシート材によって接合パネルを構成する場合には、シート材の配置によって摩擦係数が異なるように構成してもよい。具体的には、例えば、側部パネルが、第１側部パネルと、第１側部パネルよりも着用者の肌当接面側に配置された第２側部パネルと、を備える場合には、第２側部パネルの摩擦係数を、第１側部パネルの摩擦係数よりも低く構成する。
【００３９】
このように、肌当接面側に位置する第２側部パネルの摩擦係数を、非肌当接面側に位置する第１側部パネルの摩擦係数よりも低くすることにより、肌に対する側部パネルの摩擦が低減され、より装着感を良好に保つことができる。なお、摩擦係数の測定は、例えば、カトーテック株式会社製のＫＥＳＦＢ４−ＡＵＴＯ−Ａ（商品面）を用いて測定することができる。
【００４０】
また、側部パネルにエンボス加工を施すように構成してもよい。側部パネルにエンボス加工を施すことにより、側部パネルと着用者の肌との接触面積が少なくなり、摩擦係数を低減することができる。側部パネルの摩擦係数を低減することにより、装着感を良好に保つことができ、また装着時においておむつを引き上げ易くすることができる。
【００４１】
また、本実施の形態に係る吸収性物品１は、側部パネルの下端部の幅が上端部の幅よりも長いため、着用者の脚周りに隙間が生じることによって、脚周り近傍において吸収性物品の位置ずれが生じるおそれがある。
【００４２】
このような位置ずれを防止するために、例えば、レッグギャザーやウエストギャザーの伸長率を高めたり、本数を増やしたり、弾性部材の間隔を小さくしたりして、吸収性物品全体の伸縮応力を高めることができる。吸収性物品全体の伸縮応力を高めることにより、吸収体全体の伸縮性を向上させて、着用者に対する位置ずれを防止できる。
【００４３】
また、位置ずれを防止するために、胴回り弾性部材９２の間隔を狭くすることにより、相対的に腰周り弾性部材９１の伸縮応力を高くして、使い捨ておむつの腰周りがずれ落ちることを防止できる。
【００４４】
なお、本実施の形態に係る側部パネル４１は、シャーシ本体３１と別々に形成され、側端部同士が接合されて一体化されている。例えば、既存のシャーシ本体３１に、本実施の形態に係る側部パネル４１を接合することにより、本実施の形態に係る吸収性物品１を得ることができる。
【００４５】
このように構成された吸収性物品の製造方法としては、例えば、側部パネルを形成する工程と、側部パネルをシャーシ本体３１に接合する工程と、を含む方法によって吸収性物品を製造することができる。なお、シャーシ本体３１等、他の部分は、公知の製造方法に従って製造し得る。
【００４６】
（第２の実施形態）
次いで、第２の実施形態に係る吸収性物品について、図４及び図５を参照して詳細に説明する。なお、第２の実施形態の説明においては、第１の実施形態と異なる構成について説明し、同様の構成については同符号を用いて説明を省略する。
【００４７】
第２の実施形態に係る吸収性物品１Ａは、いわゆるボクサータイプのパンツ型おむつである。なお、本実施の形態におけるボクサータイプのパンツ型おむつとは、装着された状態において脚周り開口部が水平方向に沿っているものである。なお、脚周り開口部の方向は、水平方向と一致していなくてもよく、例えば、水平方向に対して±３０度の範囲内であればよい。
【００４８】
シャーシ本体３１の股下領域Ｓ２０には、着用者に装着された状態で着用者の股間に対向して配置される股下部７が設けられている。本実施の形態に係る吸収性物品１は、着用者に装着された状態で股下部７よりも下方に脚周り開口部５が配置されている。吸収性物品１は、着用者の脚の付け根の周囲を覆うように配置されるため、着用者の脚の動きに追従して脚周り開口部５が移動し易くなり、フィット性を向上させることができる。
【００４９】
本実施の形態におけるボクサータイプのパンツ型おむつは、脚周り開口部５が股下部７よりも下方において水平方向に沿って配置されている。脚周り開口部が水平方向に沿って配置されているため、ブリーフタイプのパンツ型おむつと比較して、開口部が小さくなり易い。脚周り開口部の開口寸法が小さいと、着用者が装着する際に、着用者が脚を挿入し難くなったり、着用者の脚周りを締め付け過ぎたりして、装着感が悪化するおそれがある。
【００５０】
しかし、側部パネルの上端部の幅方向の長さよりも、側部パネルの下端部の幅方向の長さが長いため、脚周り開口部が着用者の脚に密着し過ぎることを防止することができる。よって、ボクサータイプのパンツ型おむつの装着感を向上させることができる。
【００５１】
次いで、変形例に係る吸収性物品１Ｂ、１Ｃについて、図６から図８を参照して詳細に説明する。なお、以下の変形例の説明においては、第１の実施形態と異なる構成について説明し、同様の構成については同符号を用いて説明を省略する。
【００５２】
変形例１及び変形例２に係る吸収性物品１Ｂ、１Ｃは、側部パネル４１の一部が接合されて、側部パネル４１の上端部４１Ｃと側部パネル４１の下端部４１Ｄとの長さが異なるように構成されている。図６は、変形例１に係る吸収性物品１Ｂを示しており、図６（ａ）は、製造している過程の吸収性物品１Ｂを示しており、図６（ｂ）は、製造後の吸収性物品１Ｂを示している。
【００５３】
吸収性物品１Ｂを構成する側部パネル４１の幅は、上端部４１Ｃから下端部４１Ｄまで一定である。側部パネル４１は、上下方向に沿った折り目ＦＬを基点に折り畳まれる。また、折り畳まれ状態においても、側部パネルの幅は、上端部から下端部まで一定である。
【００５４】
図６（ａ）は、折り畳まれた状態の側部パネルをシャーシ本体３１に接合した状態を示している。この状態において、折り畳まれた側部パネルの上端部の一部を接合する。この接合領域は、略三角形状である。接合領域の三角形状は、上側から下側に向かって幅が短くなっている。
【００５５】
このように、側部パネルを接合して、接合されていない側部パネルを開くことにより、図６（ｂ）に示す状態となる。シャーシ本体３１間に配置される側部パネルは、上端部から下端部に向かって幅方向の長さが短くなっている。
【００５６】
次いで、変形例２に係る吸収性物品１Ｃについて説明する。図７は、変形例２に係る吸収性物品１Ｃを示している。図７（ａ）は、製造している過程の吸収性物品１Ｂを示しており、図７（ｂ）は、製造後の吸収性物品１Ｂを示している。なお、変形例２に係る吸収性物品１Ｃは、図７（ａ）に示す側部パネル４１とシャーシ本体３１との接合過程まで、変形例１に係る吸収性物品１Ｂと同様であるため、同符号を用いて説明を省略する。
【００５７】
吸収性物品１Ｂは、図７（ｂ）に示すように、上下方向に沿った折り目ＦＬを基点に折り畳まれた状態において、シャーシ本体３１に接合される。折り畳まれた側部パネル４１の上端部及びシャーシ本体３１同士の一部を接合する。この接合領域は、略三角形状である。接合領域の三角形状は、上側から下側に向かって幅が短くなっている。
【００５８】
このように、側部パネル４１及びシャーシ本体３１を接合して、接合されていない側部パネルを開くことにより、図７（ｂ）に示す状態となる。シャーシ本体の上端部では。シャーシ本体同士が接合されているため、腰周り開口部には側部パネルが配置されていない。上端部よりも下方において、シャーシ本体３１間に側部パネルが配置される。側部パネルは、上側から下側に向かって幅方向の長さが短くなっている。
【００５９】
変形例３に係る吸収性物品は、実施の形態１と側部パネルの形状が異なっている。変形例３に係る吸収性物品の側部パネル４２は、側部パネル４２の幅方向中心が上下方向に沿って変化している。
【００６０】
図８は、変形例３に係る吸収性物品を構成する側部パネル４１を示しており、図８（ａ）及び図８（ｂ）は、製造している過程の側部パネル４２を示しており、図８（ｃ）は、製造後の側部パネル４２を示している。
【００６１】
側部パネル４２は、図８（ａ）に示すように、上下方向に沿った折り目ＦＬを基点に折り畳まれた状態において、上端部と下端部が切断される。次いで、図８（ｂ）に示すように、側部パネルの幅方向における両端部に位置する、シャーシ本体との接合領域を折り返す。このように構成されたシャーシ本体を開くことにより、図８（ｃ）に示す状態となる。側部パネル４２は、上側から下側に向かって幅が長くなった後、上側から下側に向かって幅が短くなっている。
【００６２】
上述したように、本発明の実施形態を通じて本発明の内容を開示したが、この開示の一部をなす論述及び図面は、本発明を限定するものであると理解すべきではない。この開示から当業者には様々な代替実施形態、実施例及び運用技術が明らかとなる。
【００６３】
実施の形態に係る吸収性物品の側部パネルは、１枚のシート材で構成されているが、側部パネルは、複数のシート材によって構成されていてもよい。例えば、複数のシート材によって側部パネルが構成されている場合には、複数のシート材間に、シャーシ本体が配置されるように構成してもよい。更に、側部パネルは、シャーシ本体よりも肌当接面側に配置されていてもよいし、非肌当接面側に配置されていてもよい。
【００６４】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【符号の説明】
【００６５】
１、１Ａ、１Ｂ、１Ｃ…吸収性物品、  ２…吸収体本体、  ３…シャーシ、
５…脚周り開口部、  ６…腰周り開口部、  ７…股下部、  ３１…シャーシ本体、  ３１Ａ…前側端部、  ３１Ｂ…後側端部、  ４０…開口部、  ４１…側部パネル、  ４１Ａ…前側端部、  ４１Ｂ…後側端部、４１Ｃ…上端部、  ４１Ｄ…下端部  ９１…腰回り用弾性部材、  ９２…腰回り用弾性材
【図１】
0005841757.tif 000003
【図２】
0005841757.tif 000004
【図３】
0005841757.tif 000005
【図４】
0005841757.tif 000006
【図５】
0005841757.tif 000007
【図６】
0005841757.tif 000008
【図７】
0005841757.tif 000009
【図８】
0005841757.tif 000010